(57)【要約】【課題】建築現場等で用いられる足場を支持するジャッキベースにおいて、ジャッキベースの高さ調節用のハンドルが邪魔にならないようにする。【解決手段】ジャッキベース１０は、ねじ軸部１８を有する支柱１６と、ねじ軸部１８にねじ結合する支持筒２０を有する。支持筒２０には、着脱可能にハンドル２６が結合される。支持筒２０に結合されたハンドル２６により支持筒２０を回し、支持筒２０を支柱１６の延びる方向に沿って移動させ高さ調整を行う。高さが調整されたら、通行や作業の邪魔になるハンドル２６を支持筒２０から取り外す。【選択図】図１
2012052366.tif 000002
【特許請求の範囲】
【請求項１】
足場を支持するジャッキベースであって、
基板上に立設され、足場の脚の下端に一部が挿入される支柱であって、周面にねじが形成されたねじ軸部を含む支柱と、
ねじ孔を有し、このねじ孔により支柱のねじ軸部とねじ結合し、足場の脚の下端を支持する支持筒と、
支持筒に対し半径方向に延びるように装着され、支持筒を回転させるためのハンドルであって、支持筒から取り外し可能なハンドルと、
を有する、ジャッキベース。
【発明の詳細な説明】
【技術分野】
【０００１】
本発明は、工事現場等で用いられる足場の下端の高さを調節するために用いられるジャッキベースに関する。
【背景技術】
【０００２】
建物の建設、建物の外壁改修工事等においては、仮設の足場を組み立てて高所の作業を行う。足場を設置する地表面の不整を吸収するために、足場の下端には、高さ調節のためのジャッキベースが用いられる。ジャッキベースは、基板と、この基板上に立設され、ねじ軸部を有する支柱と、このねじ軸部にねじ結合する支持筒とを有する。支持筒には、この支持筒を回すためのハンドルが、支持筒の半径方向に延びるように設けられている。また、支持筒の上面には、足場の脚の下端が当接し、これにより支持筒が足場を支持している。支持筒を支柱に対して回すことにより、基板から支持筒上面の高さが変更される。これにより、ジャッキベースの高さが調節される。
【０００３】
ジャッキベースの例が下記特許文献１に記載されている。
【先行技術文献】
【特許文献】
【０００４】
【特許文献１】実開平７−４０８９４号公報
【発明の概要】
【発明が解決しようとする課題】
【０００５】
上述のように、支持筒には、支持筒から、その半径方向に突出してハンドルが設けられている。ジャッキベースを適切な高さに調節したとき、ハンドルが足場の外に延び、突出する位置となった場合、通行や作業の妨げになる場合がある。
【０００６】
本発明は、ジャッキベース、特に高さ調節のためのハンドルが周囲の通行や作業の妨げにならないようにすることを目的とする。
【課題を解決するための手段】
【０００７】
本発明のジャッキベースにおいて、高さ調節のためのハンドルを、支持筒に対して着脱可能とする。通行や作業等において邪魔になるハンドルは支持筒から取り外すことができる。また、通常は支持筒から外しておき、支持筒を回すときにハンドルを装着するようにしてもよい。
【発明の効果】
【０００８】
支持筒に対し、ハンドルを着脱可能としたことにより、ハンドルを取り外して通行や作業の妨げにならないようにすることができる。
【図面の簡単な説明】
【０００９】
【図１】本実施形態のジャッキベースの概略構成を示す図である。
【図２】支持筒とハンドルの結合態様の他の例を示す図である。
【発明を実施するための形態】
【００１０】
以下、本発明の実施形態を、図面に従って説明する。図１には、本実施形態のジャッキベース１０と、仮設足場の脚１２の下端が示されている。ジャッキベース１０は、地面等の足場設置面に置かれる基板１４に固定して立設された支柱１６を含む。基板１４は、板状の部材であり、平面視における形状は、円形、楕円形、方形、特に正方形とすることができる。支柱１６は、基板１４に対し、溶接等の永久的な固定方法により結合されてよい。支柱１６において、その上側、つまり基板１４から遠い側の外周面にねじが形成されており、ねじ軸部１８となっている。仮設足場の脚１２の下端は円管部材で構成され、支柱１６は円管の脚１２の内側に挿入可能な外径を有する。
【００１１】
支柱１６のねじ軸部１８には、支持筒２０がねじ結合している。支持筒２０は、その筒の内周面がねじ面となって、ねじ孔が形成されいている。このねじ孔にねじ軸部１８がねじ結合している。支持筒２０の外形は、円形、楕円形、方形などとすることができる。支柱のねじ軸部１８と支持筒２０がねじ結合していることにより、支持筒２０を回転させることで、支持筒２０の、支柱１６の延びる方向（図において上下方向）における位置を変更することができる。支持筒２０の上面２２には、足場の脚１２の下端面が当接している。支持筒２０の上下の移動により、その上面２２に当接している足場の脚１２も上下し、これにより足場の高さ調節が達成される。
【００１２】
支持筒２０の側面には、２箇所、特に支持筒の軸線（中心線）に関して互いに反対側の位置に、ねじ穴２４が形成されている。このねじ穴２４には、ハンドル２６に設けられたねじ突起２８がねじ結合する。ハンドル２６は、円柱、四角柱を含む多角柱などの柱形状の部材であり、一方の端に、外周面にねじが形成された突起（ねじ突起）２８を有している。また、ハンドルの径より細いねじ突起を設けることに替えて、ハンドル２６の端部の外周面に直接ねじを形成することもできる。ハンドル２６を支持筒２０にねじ結合した際には、ハンドル２６は、支持筒２０の半径方向、すなわち支柱１６の延びる方向に直交する方向に延びて配置される。
【００１３】
ジャッキベース１０の高さを調節する場合には、ハンドル２６を支持筒２０に結合した状態とし、作業者はハンドル２６を持って支持筒２０を回転させる。これにより、支持筒２０が支柱１６に沿って移動し、ジャッキベース１０の高さが調整される。適切な高さとなったとき、ハンドル２６が足場からはみ出すなど、通行や作業の邪魔になるような位置にある場合には、ハンドル２６自体を回転させて支持筒２０とのねじ結合を解除して、支持筒２０から取り外す。
【００１４】
図２は、結合態様が異なる支持筒とハンドルの例を示す図である。結合態様以外の構成については、前述の態様と同様であり説明は省略する。支持筒３０の側面には、結合穴３２が２箇所に設けられ、一方ハンドル３４の一端には、結合穴３２に嵌り合う結合突起３６が設けられている。結合穴３２と結合突起３６は、がたつきはしないが、着脱が可能な程度の嵌め合いにて構成される。断面形状は、円形や、四角形、六角形等の多角形とすることができる。この結合態様の場合には、支持筒３０を回すときにハンドルを装着し、使用しないときには外しておくことが好ましい。
【００１５】
支持筒とハンドルの結合の態様は、支持筒に対しハンドルが着脱可能であれば、他の態様を採用することもできる。
【００１６】
また、支持筒が、支持筒から取り外したハンドルを保持するための構成を有するようにすることができる。例えば、前述の支持筒２０において、その上面にねじ穴を設け、ハンドル２６のねじ突起２８をこれに結合させるようにできる。このとき、ハンドル２６は、支柱１６と平行に配置され、足場から大きく突出することがない。
【符号の説明】
【００１７】
１０  ジャッキベース、１２  足場の脚、１６  支柱、１８  ねじ軸部、２０，３０  支持筒、２４  ねじ穴、２６，３４  ハンドル、２８  ねじ突起、３２  結合穴。
【図１】
2012052366.tif 000003
【図２】
2012052366.tif 000004